(57)【要約】【課題】単品のみで被係着体に係着させることのできる係着体を提供する。【解決手段】板状もしくはシート状の基体の片面に、複数個の係止体を突設したことを特徴とする。【選択図】図１
2007181636.tif 000002
【特許請求の範囲】
【請求項１】
任意形状の板体もしくはシート状の基体の片面に、複数個の係止体を突設したことを特徴とする係着体。
【請求項２】
係止体を、基部に連続する湾曲部および先鋭部を有し、基体に斜方に突設したものとした請求項１記載の係着体。
【請求項３】
係止体を、基部に連続する膨大部を有するとともに、膨大部下端に先鋭部を有するものとした請求項１記載の係着体。
【発明の詳細な説明】
【技術分野】
【０００１】  この発明は、衣服等の繊維製品に容易に係着し、かつその着脱も容易なる係着体に関する。
【背景技術】
【０００２】  従来より、衣服等に用いられる係着手段としては、ボタン、ホック、面ファスナー等が多用されているが、本発明にて示すように、多数の係止体を突設することにより、面ファスナーのように雄雌一対にて用いることなく衣服等に係着可能となる物品は現在のところ見当たらない。
【発明の開示】
【発明が解決しようとする課題】
【０００３】  物品を互いに固定する手段として古来より以下のような手段が利用されてきている。
すなわち、接着、溶着、釘、ビス、嵌着、縫着などである。また、着脱可能な手段としては、前述のようにボタン、ホック、面ファスナー、スライドファスナーなどがある。
この中で面ファスナーはその着脱の簡便性から種々の用途に利用されており、次のような特徴がある。雄片はシート状物品の片面にカギ形の係止体が多数植設され、雌片は同じくシート状物品の片面にループ状の紐体が多数植設されている。この雄片と雌片を互いに軽く押圧接触させると雄片の係止体と雌片は互いに絡み合い、また、この係止体と紐体ともに適度の弾力を有するために相互に着脱が可能である。この係着時と離脱時においては特別な作業は不要であり、だれでも簡単に扱うことができる利点を有するのがこの面ファスナーである。しかし、既述のように雄片と雌片の双方が必要で、雄片のみあるいは雌片のみではその機能が発揮できないという問題がある。
本発明は以上のような従来からの係着手段、とりわけ面ファスナーの有する課題を解決するために発明されたもので、雄片と雌片の組み合わせによらずとも繊維製品等に容易に着脱させることのできる、新規かつ有用なる物品を提供することを目的としたものである。
【課題を解決するための手段】
【０００４】  課題を解決する手段として本発明は、基体に係止体を複数個突設してその主要部を構成した。すなわち、板体もしくはシート状の基体の片面に、複数個の係止体を突設する。
本発明は以上の構成よりなる係着体である。
【発明の効果】
【０００５】  本発明によれば、基体の片面に、先鋭部を有する係止体を多数突設したので、繊維製品に押圧するだけで係着が可能となり、手で容易に引き剥がして離脱させることができるので、従来の面ファスナーのように雄片と雌片の組み合わせによる使用と異なり、単品のみで衣類等の表面に自由に係着させることのできる有用なる物品を提供することができる。
【発明を実施するための最良の形態】
【０００６】  以下、本発明の実施形態について説明する。図１〜図５は本発明実施形態の一例を示すものである。図において、１は長方形シート状の合成樹脂製の基体、２はこの基体の片面に斜方突設される係止体で、基体と一体に形成される。この係止体は図３〜図５にて示すように、基体から斜方に突き出す断面円形の柱状の基部３の先端近傍を湾曲させて湾曲部４を形成し、該湾曲部端を先鋭にした先鋭部５を形成したものである。基部は先端に近づくにつれてその外径を小とし、湾曲部から先鋭部に向かうにつれてさらに小径となるよう形成されている。図７に示すように平常時において、基体面方向に比べて先鋭部はやや上方にその方向を有している。この係止体は図１に示すように、互いの先鋭部を一定の距離をもって対向配置されるとともに、この一対の係止体は一定間隔にて連設されている。
この基体および係止体は、適度の剛性と弾力性を有する合成樹脂素材、例えばポリプロピレン、ナイロン、ポリエステルなどにて形成される。
本発明使用時は、この係止体を衣服等の表面に軽く押圧接触させることによって、この係止体は繊維に係止され、すなわち基体が係着される。【０００７】  図７の（イ）は係着前状態であり、先鋭部は衣服等の表面よりわずか上方に位置している。（ロ）は係止体が表面に押圧接触している状態で、その押圧にて基部は変形し、先鋭部が略平行移動するとともにその角度はわずかに変化して表面とほぼ平行になり、かつ押圧にて被係着体に凹部を形成し、その周囲よりも先鋭部は沈み込んでいる。
（ハ）は押圧を解除した状態で、基部変形も解除されているが、この基部変形解除時に先鋭部先端は元の方向へ略平行移動して繊維内に入り込み、この繊維を引っ掛けてわずかに上方に向かっている状態であり、この状態は各係止体に起こる。
従って、各係止体は衣服等の被係着体に係止されており、これにて基体は衣服等に係着している状態となる。基体を離脱させるときは、基体をつまんで引き離すことによりなされるが、離脱直前の状態が（ニ）である。この離脱は先鋭部を繊維から引き離すことによりなされるが、このとき、その抵抗にて湾曲部はその弾力にてやや開く方向に変形し、先鋭部は繊維から離脱して初期状態へと復帰する。以上のように、本発明は先鋭部が繊維の内に入り込んで引っ掛けた状態となることにより係着を可能とする手段であるため、面ファスナーのように雌片が不要であり、より利便性のある係着体となる。【０００８】  図６は湾曲部を前例に比べて小さく形成した例であり、機能は前例と同様である。
図８〜図１０は係止体の配置変化例であり、前例は対向配置した一対の係止体を連設したが、図８の例は十字形の配置例で先鋭部が向かい合った例である。図９は同様に先鋭部を対向させて八等配に配置し、図１０は同じく先鋭部を対向させて二列の環状に配置した例である。以上の配置例は一部の例であり、他にいくつもの配置例が可能である。
図１１〜図１４は本発明の他例を示すもので、既述の例においては基体に係止体を斜方に突設したが、本例は一体成形にて垂直に突設したもので、本例における係止体は円柱状の基部１１の下方に連続して膨大部を形成したものである。この膨大部は上部は円錐台形であるが下部は逆円錐形であり、その下端には先鋭部１３が位置する。
本例使用時は、衣服等の被係着体の上から本品を押圧すると、繊維部分に先鋭部が押圧接触して繊維間隔を押し広げるとともに膨大部が被係着体を貫通して図１４の状態となり、繊維はやや復帰して基部に軽く押圧接触した状態となる。この状態において、繊維間隔より大きいサイズの膨大部が被係着体を突き抜けて位置するので、係着体は被係着体に係着している。離脱させるには、基体をつまんで少し強めに引くと、膨大部上部は斜面状のために繊維を押し広げて膨大部は被係着体をくぐり抜けて初期状態へと戻る。
以上のように、本例は前記の例と異なり、被係着体を係止体が貫通することによって係着させるものである。【０００９】  以上、本発明について記したが、記述のように本発明は従来の面ファスナーのように雄雌一対による係着ではなく、単品のみでの係着が可能なところにその特徴を有し、その利便性とともにＩＤカードやワッペンその他に広範囲な使用が可能である。
なお、基体は任意の素材による板体の他に、紙、布、合成樹脂などのシート状物品が使用可能であるが、とくに合成樹脂の場合は基体と係止体の一体成形が可能である。
また、一体成形以外に係止体を基体に植設して設けてもよい。既述の初例係止体は基部を基体面に対して４５度としたが、３０度〜６０度の範囲で使用可能であり、好ましくは４０度〜５０度である。また、先鋭部の角度は被係着体表面に対し１０度以下が好ましい。
なお、係止体の長さは自由であるが、現実的には２ｍｍ〜５ｍｍが妥当である。初例では係止体を先端に向かって先細りに形成したが、同一太さとして先鋭部を設けた形状としてもよい。以上のごとく、本発明によって利便性に富む係着体を得ることができる。
【図面の簡単な説明】
【００１０】
【図１】  本発明の正面図
【図２】  本発明の底面図
【図３】  本発明の要部構造説明図（正面視）
【図４】  本発明の要部構造説明図（右側面視）
【図５】  本発明の要部構造説明図（底面視）
【図６】  本発明の変化例における要部構造説明図（正面視）
【図７】  本発明の機能説明図
【図８】  本発明の係止体配置変化例図
【図９】  本発明の係止体配置変化例図
【図１０】  本発明の係止体配置変化例図
【図１１】  本発明の他例における正面図
【図１２】  本発明の他例における底面図
【図１３】  本発明の他例における要部構造説明図
【図１４】  本発明の他例における機能説明図
【符号の説明】
【００１１】  １    基体
２    係止体
３    基部
４    湾曲部
５    先鋭部
６    被係着体
７    基部
８    湾曲部
９    先鋭部
１０  係止体
１１  基部
１２  膨大部
１３  先鋭部
【図１】
2007181636.tif 000003
【図２】
2007181636.tif 000004
【図３】
2007181636.tif 000005
【図４】
2007181636.tif 000006
【図５】
2007181636.tif 000007
【図６】
2007181636.tif 000008
【図７】
2007181636.tif 000009
【図８】
2007181636.tif 000010
【図９】
2007181636.tif 000011
【図１０】
2007181636.tif 000012
【図１１】
2007181636.tif 000013
【図１２】
2007181636.tif 000014
【図１３】
2007181636.tif 000015
【図１４】
2007181636.tif 000016